(57)【特許請求の範囲】
【請求項１】
浴槽外から浴槽内に通じる往き流路および戻り流路を有し、浴槽外からのお湯が前記往き流路を通って浴槽内に吐出されるとともに、浴槽内からのお湯が前記戻り流路を通って浴槽外に送出されるようにした浴槽用給湯口アダプターであって、
前記往き流路および戻り流路の双方の流路上に、お湯が内部を流通する発電室が設けられ、
前記発電室に、圧電素子を含む圧電素子板が設けられ、
前記発電室に、その内部を流通するお湯によって可動する可動体が設けられ、
可動する前記可動体が前記圧電素子板に衝突することによって圧電素子が作動し、電力が発生するようにしたことを特徴とする浴槽用給湯口アダプター。
【請求項２】
前記可動体は、流通するお湯によって回転する水車によって構成され、
前記圧電素子板は、端部が揺動可能に前記発電室に取り付けられた揺動板として構成され、
回転する前記水車の各羽根が前記揺動板の端部に順次衝突して、前記揺動板が揺動することによって圧電素子が作動するようになっている請求項１に記載の浴槽用給湯口アダプター。
【請求項３】
前記発電室に、その内部を流通するお湯が前記水車に向かうように水流を制御する水流制御板が設けられる請求項２に記載の浴槽用給湯口アダプター。
【請求項４】
前記可動体は、前記発電室内を不規則に流動可能な複数の流動粒子によって構成され、
前記圧電素子板は、前記発電室の内周壁面の少なくとも一部に設けられた圧電素子壁として構成され、
流動する前記複数の流動粒子が前記圧電素子壁に衝突して、圧電素子が作動するようになっている請求項１に記載の浴槽用給湯口アダプター。
【請求項５】
前記発電室に、その内部を流通するお湯を撹乱するための水流撹乱片が設けられる請求項４に記載の浴槽用給湯口アダプター。
【請求項６】
前記発電室に対しお湯を流出入するための開口に、お湯の流通を許容しつつ、前記流動粒子の流出を防止するためのフィルター部材が配置される請求項４または５に記載の給湯口アダプター。
【請求項７】
浴槽内側に配置される発光手段を備え、
前記発電室で発生する電力によって、前記発光手段を発光させるようにした請求項１〜６のいずれか１項に記載の浴槽用給湯口アダプター。
【請求項８】
前記発光手段がＬＥＤによって構成される請求項７に記載の浴槽用給湯口アダプター。
【請求項９】
浴槽内に配置される槽内突出部を備え、
前記発電室が前記槽内突出部に設けられる請求項１〜８のいずれか１項に記載の浴槽用給湯口アダプター。
【請求項１０】
内部に前記発電室が設けられた発電ユニットを備え、
前記発電ユニットが着脱自在に取り付けられる請求項１〜９のいずれか１項に記載の浴槽用給湯口アダプター。
【発明の詳細な説明】
【技術分野】
【０００１】
この発明は、浴槽の壁部に給湯用として取り付けられる浴槽用給湯口アダプターに関する。
【背景技術】
【０００２】
浴槽の側壁に貫通状態に取り付けられる給湯口アダプターにおいて、追い焚き機能付きのものでは、浴槽内に臨むように吸引口および吐出口が設けられている。そして、追い焚き時には、浴槽内のお湯が吸引口から吸引されて、給湯口アダプター内部を通って室外の給湯器に戻されてそこで加熱される。さらに給湯機で加熱されたお湯が、給湯口アダプターに供給されて、アダプター内部を通って吐出口から浴槽内に吐出されるようになっている。
【０００３】
ところで、近年になって、給湯口アダプターの内部に発電機を組み込んで、自己発電により照明器等を発光させるようにした浴槽給湯システムが提案されている。
【０００４】
例えば特許文献１に示す浴槽給湯システムは、給湯口アダプターに照明器が設けられ、追い焚き時等に照明器を発光させて、表示効果を高めるようにしている。
【０００５】
特許文献２に示す浴槽給湯システムは、浴槽壁に、給湯口アダプターに対向する照明器が設けられ、給湯口から噴射される温水を、照明器で照明することにより、表示効果を高めるようしている。
【０００６】
特許文献３，４に示す浴槽給湯システムは、水槽内のお湯を給湯機に送る戻り流路内に、紫外線を照射する照明器を設けておき、戻り流路内を流通するお湯に照明器から紫外線を照射して、お湯を殺菌浄化するようにしている。
【０００７】
これらの給湯システムはいずれも、発電機を用いた自己発電型のものであり、お湯の循環経路上に、水車（タービン）を設置しておき、水流で水車を回転させて、その水車に連結した発電機本体を駆動させることにより、電力を発生させるようにしている。
【先行技術文献】
【特許文献】
【０００８】
【特許文献１】特開２００４−２１５９９４号公報
【特許文献２】特開２００１−２２７０１１号公報
【特許文献３】特開２００２−３３６１４９号公報
【特許文献４】特開２００２−３４０４１６号公報
【発明の概要】
【発明が解決しようとする課題】
【０００９】
しかしながら、上記特許文献１〜４に示す従来の給湯システムにおいてはいずれも、構造が複雑でサイズも大きい発電機によって発電するものであるため、構造の複雑化および大型化を来すという課題が発生する。
【００１０】
この発明は、上記の課題に鑑みてなされたものであり、構造の簡素化および小型化を図りつつ、自己発電できる浴槽用給湯口アダプターを提供することを目的とする。
【課題を解決するための手段】
【００１１】
上記課題を解決するため、本発明は、以下の手段を備えるものである。
【００１２】
［１］浴槽外から浴槽内に通じる往き流路および戻り流路を有し、浴槽外からのお湯が前記往き流路を通って浴槽内に吐出されるとともに、浴槽内からのお湯が前記戻り流路を通って浴槽外に送出されるようにした浴槽用給湯口アダプターであって、
前記往き流路および戻り流路のうち少なくともいずれか一方の流路上に、お湯が内部を流通する発電室が設けられ、
前記発電室に、圧電素子を含む圧電素子板が設けられ、
前記発電室に、その内部を流通するお湯によって可動する可動体が設けられ、
可動する前記可動体が前記圧電素子板に衝突することによって圧電素子が作動し、電力が発生するようにしたことを特徴とする浴槽用給湯口アダプター。
【００１３】
［２］前記可動体は、流通するお湯によって回転する水車によって構成され、
前記圧電素子板は、端部が揺動可能に前記発電室に取り付けられた揺動板として構成され、
回転する前記水車の各羽根が前記揺動板の端部に順次衝突して、前記揺動板が揺動することによって圧電素子が作動するようになっている前項１に記載の浴槽用給湯口アダプター。
【００１４】
［３］前記発電室に、その内部を流通するお湯が前記水車に向かうように水流を制御する水流制御板が設けられる前項２に記載の浴槽用給湯口アダプター。
【００１５】
［４］前記可動体は、前記発電室内を不規則に流動可能な複数の流動粒子によって構成され、
前記圧電素子板は、前記発電室の内周壁面の少なくとも一部に設けられた圧電素子壁として構成され、
流動する前記複数の流動粒子が前記圧電素子壁に衝突して、圧電素子が作動するようになっている前項１に記載の浴槽用給湯口アダプター。
【００１６】
［５］前記発電室に、その内部を流通するお湯を撹乱するための水流撹乱片が設けられる前項４に記載の浴槽用給湯口アダプター。
【００１７】
［６］前記発電室に対しお湯を流出入するための開口に、お湯の流通を許容しつつ、前記流動粒子の流出を防止するためのフィルター部材が配置される前項４または５に記載の給湯口アダプター。
【００１８】
［７］浴槽内側に配置される発光手段を備え、
前記発電室で発生する電力によって、前記発光手段を発光させるようにした前項１〜６のいずれか１項に記載の浴槽用給湯口アダプター。
【００１９】
［８］前記発光手段がＬＥＤによって構成される前項７に記載の浴槽用給湯口アダプター。
【００２０】
［９］浴槽内に配置される槽内突出部を備え、
前記発電室が前記槽内突出部に設けられる前項１〜８のいずれか１項に記載の浴槽用給湯口アダプター。
【００２１】
［１０］内部に前記発電室が設けられた発電ユニットを備え、
前記発電ユニットが着脱自在に取り付けられる前項１〜９のいずれか１項に記載の浴槽用給湯口アダプター。
【００２２】
［１１］前記発電室は、前記往き流路および戻り流路の双方に設けられる前項１〜１０のいずれか１項に記載の浴槽用給湯口アダプター。
【００２３】
［１２］浴槽外から浴槽内に通じる往き流路を有し、浴槽外からのお湯が前記往き流路を通って浴槽内に吐出されるようにした浴槽用給湯口アダプターであって、
前記往き流路上に、お湯が内部を流通する発電室が設けられ、
前記発電室に、圧電素子を含む圧電素子板が設けられ、
前記発電室に、その内部を流通するお湯によって可動する可動体が設けられ、
可動する前記可動体が前記圧電素子板に衝突することによって圧電素子が作動し、電力が発生するようにしたことを特徴とする浴槽用給湯口アダプター。
【発明の効果】
【００２４】
発明［１］の浴槽用給湯口アダプターによれば、圧電素子を利用して自己発電するものであるため、発電機等を用いる場合と比較して、構造の簡素化および小型化を図ることができる。
【００２５】
発明［２］［３］の浴槽用給湯口アダプターによれば、圧電素子を効率良く作動させることができ、十分な発電量を確実に確保することができる。
【００２６】
発明［４］［５］の浴槽用給湯口アダプターによれば、圧電素子を効率良く作動させることができ、十分な発電量をより確実に確保することができる。
【００２７】
発明［６］の浴槽用給湯口アダプターによれば、流動粒子の流出等の不具合を確実に防止することができる。
【００２８】
発明［７］［８］の浴槽用給湯口アダプターによれば、発光手段が発光するため、浴槽内に光による効果的な演出表示を行うことができる。
【００２９】
発明［９］の浴槽用給湯口アダプターによれば、発電室を槽内突出部に確実に形成することができる。
【００３０】
発明［１０］の浴槽用給湯口アダプターによれば、発電室を有する発電ユニットを着脱自在に構成しているため、発電ユニットを取り外すことにより、発電室内の保守点検を支障なく行うことができる。
【００３１】
発明［１１］の浴槽用給湯口アダプターによれば、２つの発電室で発電できるため、十分な発電量をより一層確実に確保することができる。
【００３２】
発明［１２］の浴槽用給湯口アダプターによれば、上記と同様に、構造の簡素化および小型化を図ることができる。
【図面の簡単な説明】
【００３３】
【図１】図１はこの発明の第１実施形態である浴槽用給湯口アダプターを示す側面断面図である。
【図２】図２は第１実施形態の給湯口アダプターを分解して示す斜視図である。
【図３】図３は第１実施形態の給湯口アダプターにおける流路仕切部材をカバー部材を取り付けた状態で示す斜視図である。
【図４】図４は第１実施形態の流路仕切部材をカバーを取り付けた状態で示す正面図である。
【図５】図５は第１実施形態の流路仕切部材を前部閉塞板を取り外した状態で示す斜視図である。
【図６】図６は第１実施形態の流路仕切部材をその発電室を分解して示す斜視図である。
【図７Ａ】図７Ａは第１実施形態の流路仕切部材を前部閉塞板を取り除いた状態で示す正面図である。
【図７Ｂ】図７Ｂは第１実施形態の流路仕切部材における発電室周辺を拡大して示す正面図である。
【図８】図８は第１実施形態の流路仕切部材を示す側面断面図である。
【図９】図９はこの発明の第２実施形態である浴槽用給湯口アダプターを示す側面断面図である。
【図１０】図１０は第２実施形態の給湯口アダプターを分解して示す斜視図である。
【図１１】図１１は第２実施形態の給湯口アダプターにおける流路仕切部材を示す正面図である。
【図１２】図１２は第２実施形態の給湯口アダプターにおける流路仕切部材を示す側面図である。
【図１３】図１３は第２実施形態の流路仕切部材をその発電ユニットを離間させた状態で示す斜視図である。
【図１４】図１４は第２実施形態の流路仕切部材を分解してい示す斜視図である。
【図１５】図１５は第２実施形態の流路仕切部材を分解して示す側面断面図である。
【図１６】図１６は第２実施形態の流路仕切部材を前壁を取り除いた状態で示す正面図である。
【図１７】図１７は第２実施形態の給湯口アダプターにおける発電ユニットを分解して示す側面断面図である。
【発明を実施するための形態】
【００３４】
＜第１実施形態＞
図１，２はこの発明の第１実施形態である浴槽用給湯口アダプターを示す図である。両図に示すように、この第１実施形態の給湯口アダプターは、浴槽の側壁Ｗに設けられた取付孔Ｈに組み付けられる。この給湯口アダプターは、室外の給湯機から供給されたお湯を浴槽内に供給する湯はり処理の他に、浴槽内のお湯（水）を吸い込んで室外の給湯機に送り、そこで加熱して、適当な温度に加熱されたお湯を浴槽内に戻す追い焚き処理を行えるものである。
【００３５】
なおこの給湯口アダプターは、以下に詳述するように、このアダプターが備える２つの外管接続部１ａ，１ｂに対して、給湯機につながる往き管および戻り管のどちらを接続しても使用可能な、いわゆる無極性タイプのものである。さらにアダプター内部に、逆流防止弁等の水の流動を制御するための流動制御弁が設けられない弁無しタイプのものである。
【００３６】
本第１実施形態の給湯口アダプターは、槽外取付部材１と、雄ねじ部材２と、流路仕切部材３と、カバー部材９とを基本的な構成要素として備えている。なお、本明細書においては、給湯口アダプターの軸心方向に沿って浴槽に対して内側（図１の左側）を「前側」または「正面側」とし、浴槽に対して外側（図１の右側）を「後側」または「裏面側」として説明する。
【００３７】
図１，２に示すように槽外取付部材１は、前面側が開放され、かつ後面側が閉塞された円筒形状の外筒部１２と、その外筒部１２の内部に同軸心上に配置される円筒形状の内筒部１１と、外筒部１２の前端外周に設けられた平板リング状のフランジ部１５と、外筒部１２の周壁後端に側方に突出するように設けられる管状の第１および第２外管接続部１ａ，１ｂとを一体に有している。
【００３８】
内筒部１１の内部空間は、後述の内側流路Ａの一部として構成されるとともに、内筒部１１および外筒部１２間の環状空間は、後述の外側流路Ｂの一部として構成されている。上記第１外管接続部１ａが内側流路Ａに連通されるとともに、第２外管接続部１ｂが外側流路Ｂに連通されている。
【００３９】
外筒部１２の前部内周面には、雄ねじ部材２に組み付けるための雌ねじが刻設されている。
【００４０】
槽外取付部材１のフランジ部１５の外周縁部には、そのフランジ部１５と浴槽外壁面との間の水密を図るための合成樹脂製のパッキン８２が取り付けられている。
【００４１】
図１．２に示すように雄ねじ部材２は、前後両端が開放された円筒形状の胴部２１と、その胴部２１の前端外周に設けられた平板リング状のフランジ部２５とを一体に有する鍔付き円筒形状の成形品をもって構成されている。
【００４２】
胴部２１の外周側面には、上記槽外取付部材１における外筒部１２の雌ねじに対応して、雄ねじが刻設されており、胴部２１を槽外取付部材１の外筒部１２内にねじ込んで固定できるようになっている。
【００４３】
そして、槽外取付部材１のフランジ部１５が、浴槽の外壁面における取付孔Ｈの周縁部に沿うように配置された状態で、雄ねじ部材２のフランジ部２５が、合成ゴム製のリング状パッキン８３を介して浴槽内壁面における取付孔Ｈの周縁部に圧接されるようにして、雄ねじ部材２の胴部２１が取付孔Ｈを通じて、槽外取付部材１の外筒部１２にねじ込まれて固定される。これにより両部材１，２のフランジ部１５，２５によって、浴槽側壁Ｗにおける取付孔周縁部が挟持されて、両部材１，２が浴槽側壁Ｗに貫通状態に組み付けられる。
【００４４】
流路仕切部材３は、軸心方向（前後方向）に延びる細長い円筒形状の円筒部３１と、その円筒部３１の前端部に設けられた円盤状の槽内突出部４とを有している。
【００４５】
槽内突出部４は、内部に複数の流路が設けられる中空構造を有しており、略円板状の後壁４１と、後壁４１における前面側の外周を囲うようにして一体に形成された外周壁４２と、外周壁４２の前面側開口の一部を閉塞する前部閉塞板５とを備えている。
【００４６】
なお本実施形態においては、槽内突出部４における外周壁４２の外周面によって、外周側面が構成されている。
【００４７】
図１に示すように、円筒部３１は、後述するように槽外取付部材１の内筒部１１に接続されるものであり、円筒部３１の内部と、それに連通する槽外取付部材１における内筒部１１の内部とによって、内側流路Ａが形成される。さらに円筒部３１は、後述するように雄ねじ部材２の胴部２１の内部に配置されるものであり、円筒部３１および胴部２１間の環状空間と、それに連通する槽外取付部材１における内筒部１１および外筒部１２間の環状空間とによって、外側流路Ｂが形成される。
【００４８】
図５〜７等に示すように、槽内突出部４の後壁４１には、円筒部３１に対応して、第１連通孔４１ａが形成されるとともに、円筒部３１の側方に対応して、第２連通孔４１ｂが形成されている。さらに外周壁４２の下部両側には、第１および第２開口４２ａ，４２ｂが形成されている。
【００４９】
槽内突出部４における後壁４１の前面側には、複数の仕切壁４３が形成されており、この仕切壁４３によって、槽内突出部４内に、各自独立する第１および第２流路４３ａ，４３ｂと、３つのＬＥＤ室４５とが形成されている。
【００５０】
第１流路４３ａは、第１連通孔４１ａから第１開口４２ａにかけて形成されており、第１連通孔４１ａを介して槽内突出部４の後方における円筒部３１の内側（内側流路Ａ）に連通されるとともに、第１開口４２ａを介して槽内突出部４の外側に開放されている。
【００５１】
第２流路４３ｂは、第２連通孔４１ｂから第２開口４２ｂにかけて形成されており、第２連通孔４１ｂを介して槽内突出部４の後方における円筒部３１の外側（外側流路Ｂ）に連通されるとともに、第２開口４２ｂを介して槽内突出部４の外側に開放されている。
【００５２】
ＬＥＤ室４５は、槽内突出部４の上側と下側とにそれぞれ設けられている。上側のＬＥＤ室４５は、槽内突出部４の上側縁部に沿って第１開口４２ａから第２開口４２ｂにかけて設けられている。下側のＬＥＤ室４５は、槽内突出部４の下端部における第１および第２開口４２ａ，４２ｂ間に設けられている。さらに下側のＬＥＤ室４５は、仕切壁４３によって２つに仕切られている。
【００５３】
各ＬＥＤ室４５内には、発光手段（照明器）としての発光ダイオード（ＬＥＤ）４６が槽内突出部４の外周縁部に沿って複数並べてそれぞれ取り付けられている。
【００５４】
なお図５〜７に示すように、槽内突出部４における上側のＬＥＤ室４５の中間位置には、ロックピン挿入孔４９が設けられており、後述するように流路仕切部材３を雄ねじ部材２に取り付けた際に、このロックピン挿入孔４９に挿入されるロックピン（図示省略）によって、雄ねじ部材２に対して流路仕切部材３の回り止めが図られるようになっている。
【００５５】
図２，５等に示すように、槽内突出部４における前面側開口の一部には、前部閉塞板５が着脱自在に取り付けられている。この前部閉塞板５は、ＬＥＤ室４５に対応する部分が切り取られて、第１および第２流路４３ａ，４３ｂが形成される領域のみを閉塞するようになっている。
【００５６】
図６，７Ａ，７Ｂに示すように、第１および第２流路４３ａ，４３ｂの中間部（一部）は、第１および第２発電室７ａ，７ｂとして構成されている。
【００５７】
第１および第２発電室７ａ，７ｂ内には、その中央位置に支柱７１，７１がそれぞれ取り付けられている。各支柱７１，７１の両側には、圧電素子を含む帯板形状の揺動板７２，７２の一端部側（固定端部側）が固定されている。そして揺動板７２，７２の他端部側（揺動端部側）が、各流路４３ａ，４３ｂの両側端部に配置されている。揺動板７２は、弾力性ないし可撓性を有し、支柱７１の部分を支点にして、他端部側（揺動端部側）が揺動できるようになっている。
【００５８】
なお本第１実施形態においては、揺動板７２が、圧電素子を含む圧電素子板（圧電素子フィルム）として構成されている。
【００５９】
さらに揺動板７２を支持する支柱７１には、その内部に銅線等のリード線が組み込まれており、後述するように揺動板７２の圧電素子によって発生した電力を、そのリード線を介して取り出せるようになっている。
【００６０】
発電室７ａ，７ｂにおける各揺動板７２の揺動端部に対応する位置には、水車７５，７５がその軸心回りに回転自在に取り付けられている。そして、水車７５，７５が回転した際には、水車７５，７５の各羽根が各揺動板７２の揺動端部に連続的に順次衝突するようになっている。
【００６１】
本第１実施形態においては、水車７５によって可動体が構成されている。
【００６２】
なお、この水車７５，７５は、軸心方向から流入するお湯によって回転するタイプのものとは異なり、半径方向ないし周方向から流入し、かつ半径方向ないし周方向へ流出するお湯によって回転するタイプのものである。さらにこの水車７５は、既述したように羽根によって揺動板７２を叩いて揺動させるものであり、言うまでもなく、発電機を駆動するような水車（タービン）とは異なるものである。
【００６３】
また発電室７ａ，７ｂの内周側には、換言すると発電室７ａ，７ｂにおける揺動板７２よりも第１および第２連通孔４１ａ，４１ｂ寄りの位置には、正面視山型の水流制御板７３，７３が取り付けられている。この水流制御板７３，７３における中央の頂部は、第１および第２連通孔４１ａ，４１ｂの中央位置に対向して配置されている。従って、連通孔４１ａ，４１ｂから流路４３ａ，４３ｂに流入されるお湯は、水流制御板７３，７３によって流路４３ａ，４３ｂの両側に導かれて、水車７５，７５の位置に供給されるようになっている。
【００６４】
さらに発電室７ａ，７ｂの外周側には、換言すると発電室７ａ，７ｂにおける揺動板７２よりも第１および第２開口４２ａ，４２ｂ寄りの位置には、正面視山型の水流制御板７４，７４が取り付けられている。この水流制御板７４，７４における中央の頂部は、第１および第２開口４２ａ，４２ｂの中央位置に対向して配置されている。従って、開口４２ａ，４２ｂから流路４３ａ，４３ｂに流入されるお湯は、水流制御板７４，７４によって流路４３ａ，４３ｂの両側に導かれて、水車７５，７５の位置に供給されるようになっている。
【００６５】
以上の構成の発電室７ａ，７ｂにおいて、例えば第１および第２連通孔４１ａ，４１ｂから第１および第２流路４３ａ，４３ｂにお湯が流入すると、そのお湯は、水流制御板７３によって両側の水車７５，７５へと導かれる。これにより、お湯が水車７５，７５の各羽根を押し込むように流通して、水車７５，７５が回転する。このとき、水車７５，７５各羽根が、揺動板７２の揺動端部に連続的に衝突して、揺動板７２の揺動端部が小刻みに素早く揺動（振動）することによって圧電素子が作動し、所定の電力が発生するようになっている。
【００６６】
逆に、第１および第２開口４２ａ，４２ｂから第１および第２流路４３ａ，４３ｂ内にお湯が流入すると、そのお湯は、水流制御板７４によって両側の水車７５，７５へと導かれる。これにより、上記と同様に、水車７５，７５が回転し、揺動板７２が小刻みに振動して、電力が発生するようになっている。
【００６７】
なお図示は省略するが、流路仕切部材３には、ＬＥＤ４６の点灯（発光）を制御する制御回路が設けられている。さらに発電室７ａ，７ｂの揺動板７２の支柱（リード線）７１と、上記制御回路とは電気的に接続されている。これにより揺動板７２が揺動して電力が発生した際に、その電力によって、ＬＥＤ４６が点灯するようになっている。
【００６８】
図１〜４等に示すように、槽内突出部４には、その前面側を覆うカバー部材９が着脱自在に取り付けられる。
【００６９】
このカバー部材９は、円形の前壁と、その前壁後面側の外周縁に設けられた外周壁とを備え、前壁によって槽内突出部４の前面側がカバーされるとともに、外周壁によって槽内突出部４の外周側面がカバーされる。
【００７０】
カバー部材９の前壁において、槽内突出部４に取り付けられたＬＥＤ４６に対応する部分が、合成樹脂製の透明窓９１によって構成されている。従ってＬＥＤ４６が点灯した際には、その照明光が透明窓９１を介して前方に照射されるようになっている。
【００７１】
カバー部材９の外周壁には、槽内突出部４の第１および第２開口４２ａ，４２ｂに対応して、開口９２，９２が形成されている。従って、槽内突出部４の開口４２ａ，４２ｂから吐出したお湯は、カバー部材９の開口９２，９２を介して浴槽内に吐出されるようになっている。さらに浴槽内のお湯は、カバー部材９の開口９２，９２を介して、槽内突出部４の第１および第２開口４２ａ，４２ｂから吸引されるようになっている。
【００７２】
カバー部材９が取り付けられた流路仕切部材３は、浴槽側壁Ｗに組み付けられた雄ねじ部材２に、周知の取付手段によって着脱自在に組み付けられる。このとき、流路仕切部材３における円筒部３１が、雄ねじ部材２の内部に配置される槽外取付部材１の内筒部１１に挿入される。
【００７３】
言うまでもなく、本発明において、給湯口アダプターの組付手順は、限定されるものではなく、どのような手順で行っても良い。
【００７４】
この組付状態では、図１に示すように、槽外取付部材１の内筒部１１と流路仕切部材３の円筒部３１との間にＯリング８１が配置され、そのＯリング８１によって、両部材１１，３１間の水密が図られるとともに、流路仕切部材３の槽内突出部４の後面に設けられたパッキン８４によって、流路仕切部材３の槽内突出部４と、雄ねじ部材２のフランジ部２５との間の水密が図られるようになっている。
【００７５】
こうして浴槽に組み付けられた給湯口アダプターにおいては、内側流路Ａが、流路仕切部材３の第１連通孔４１ａを通じて、流路仕切部材３の第１流路４３ａ（第１発電室７ａ）に連通されるとともに、第１流路４３ａ（第１発電室７ａ）が第１開口４２ａおよびカバー部材９の開口９２を介して浴槽内に連通（開放）されている。また外側流路Ｂが、流路仕切部材３の第２連通孔４１ｂを通じて、流路仕切部材３の第２流路４３ｂ（第２発電室７ｂ）に連通されるとともに、第２流路４３ｂ（第２発電室７ｂ）が第２開口４２ａおよびカバー部材９の開口９２介して浴槽内に連通（開放）されている。
【００７６】
そして本実施形態においては、内側流路Ａおよび第１流路４３ａ（第１発電室７ａ）によって、往き流路および戻り流路のうち、いずれか一方の流路が構成されるとともに、外側流路Ｂおよび第２流路４３ｂ（第２発電室７ｂ）によって、残り一方の流路が構成される。
【００７７】
本実施形態の給湯口アダプターは、既述したように、室外給湯機と配管接続する際に、槽外取付部材１における２つの外管接続部１ａ，１ｂに対して、室外給湯機につながる往き管および戻り管のどちらを接続しても使用可能な無極性タイプのものである。
【００７８】
例えば第１外管接続部１ａに往き管、第２外管接続部１ｂに戻り管を接続した状態において、追い焚き処理を行った場合には、給湯機から供給されるお湯が往き管および第１外管接続部１ａを通って内側流路Ａに導入され、さらにそのお湯が内側流路Ａおよび流路仕切部材３の第１流路４３ａを通って、第１開口４２ａから浴槽内に供給される。
【００７９】
吸込側では、給湯機の吸引力によって、戻り管および外側流路Ｂが負圧に設定されるため、流路仕切部材３の第２流路４３ｂも負圧となる。従って、浴槽内のお湯（水）は、流路仕切部材３の第２開口４２ｂから第２流路４３ｂに吸い込まれて、外側流路Ｂおよび戻り管を通って給湯機に戻される。
【００８０】
従ってこのように配管接続された場合には、内側流路Ａおよび第１流路４３ａによって往き流路が構成され、外側流路Ｂおよび第２流路４３ｂよって戻り流路が構成される。
【００８１】
そして追い焚き時においては、槽内突出部４に設けられたＬＥＤ４６が点灯するようになっている。すなわち往き流路側においては、第１連通孔４１ａから第１流路４３ａに流入するお湯は、水流制御板７３によって流路４３ａの両側に導かれて、水車７５，７５を回転させる。この回転により、水車７５，７５の各羽根が、各揺動板７２の各揺動端部に連続的に順次衝突して、揺動板７２が小刻みに素早く振動する。この振動によって各揺動板７２の圧電素子が作動して電力が発生する。
【００８２】
また戻り流路側においては、第２開口４２ｂから第２流路４３ｂに吸い込まれたお湯は、水流制御板７４によって流路４３ｂの両側に導かれて、水車７５，７５が回転して、上記と同様に、電力が発生する。
【００８３】
このように往き流路側および戻り流路側の双方の発電室７ａ，７ｂで発生した電力によって、ＬＥＤ４６が点灯する。さらにこうして点灯されたＬＥＤ４６の照明光が給湯口アダプターの前方に照射されて、浴槽内のお湯に光の演出効果を与えることができ、心地良い入浴環境を得ることができる。
【００８４】
一方、第２外管接続部１ｂに往き管、第１外管接続部１ａに戻り管を接続した状態で、追い焚き処理を行った場合には、上記とは逆回りに循環する。すなわち給湯機からのお湯が、往き管、第２外管接続部１ｂ、外側流路Ｂおよび第２流路４３ｂ（第２発電室７ｂ）を通って、第２開口４２ｂおよびカバー部材９の開口９２から浴槽内に供給されるとともに、浴槽内のお湯は、カバー部材９の開口９２および第１開口４２ａから吸い込まれて、第１流路４３ａ（第１発電室７ａ）、内側流路Ａ、第１外管接続部１ａおよび戻り管を通って給湯機に戻される。
【００８５】
従ってこのように配管接続された場合には、内側流路Ａおよび第１流路４３ａによって戻り流路が構成され、外側流路Ｂおよび第２流路４３ｂによって往き流路が構成される。
【００８６】
さらにこのように配管接続された場合であっても、上記と同様に、発電室７ａ，７ｂによって発電されてＬＥＤ４６が点灯する。
【００８７】
なお本実施形態の給湯口アダプターは、ダブル搬送方式によって湯はりを行うものである。すなわち湯はり時には、給湯機から往き管および戻り管の双方にお湯が供給され、そのお湯が、給湯口アダプターの内側および外側流路Ａ，Ｂ、第１および第２流路４３ａ，４３ｂを通って、第１および第２開口４２ａ，４２ｂから浴槽内に供給される。
【００８８】
この湯はり時においても、上記と同様に、発電室７ａ，７ｂによって発電されて、ＬＥＤ４６が点灯する。
【００８９】
以上のように、第１実施形態の給湯口アダプターによれば、追い焚き時等に自己発電によりＬＥＤ４６を点灯させて、浴槽内に光による所定の演出効果を与えることができる。
【００９０】
さらに本実施形態の給湯口アダプターは、圧電素子を用いて発電するようにしているため、つまり、圧電素子としての揺動板７２を、水車７５の羽根で叩いて揺動させて発電するようにしているため、発電部の構造を簡素に仕上げることができ、小型化を図ることができる。特に、本実施形態の給湯口アダプターは、タービン（水車）を回転させて発電するような複雑構造の発電機等を用いる場合と比較して、構造の簡素化および小型化をより確実に図ることができる。
【００９１】
また本実施形態においては、発電室７ａ，７ｂの上流側に流動制御板７３，７４を設けて、お湯が水車７５の位置を十分に流通するようにしているため、水車７５を勢い良く回転させることができる。従って揺動板７２を十分に振動させて、圧電素子を十分に作動させることができ、十分な発電量を確保できて、ＬＥＤ４６をより確実に点灯させることができる。
【００９２】
さらに流動制御板７３，７４は、揺動板７２の上流側および下流側の双方に配置されているため、揺動板７２が大きく屈曲しようとした際には、揺動板７２の揺動端部が流動制御板７３，７４に当接することにより、揺動板７２が大きく変形するのを防止することができる。このように流動制御板７３，７４によって揺動板７２の揺動（振動）範囲を制限することができる。このため例えば、揺動板７２が不用意に大きく変形して、変形前の元の状態に戻らなくなるような不具合を有効に防止することができる。
【００９３】
また本実施形態においては、往き流路側および戻り流路側の双方に発電室７ａ，７ｂを設けているため、一方側のみに発電室を設ける場合と比較して、より多くの発電量を確保でき、ＬＥＤ４６をより一層確実に点灯させることができる。
【００９４】
＜第２実施形態＞
図９，１０はこの発明の第２実施形態である浴槽用給湯口アダプターを示す図である。これらの図に示すように、本第２実施形態の給湯口アダプターは、槽外取付部材１と、雄ねじ部材２と、流路仕切部材３と、発電ユニット６ａ，６ｂとを基本的な構成要素として備えている。
【００９５】
この第２実施形態において、槽外取付部材１および雄ねじ部材２は、上記第１実施形態の槽外取付部材１および雄ねじ部材２と実質的に同じ構成である。
【００９６】
図１４〜１６に示すように、流路仕切部材３の槽内突出部４に設けられるＬＥＤ室４５は、槽内突出部４の外周縁部に沿って第１開口４１ａから第２開口４２ｂにかけて形成されている。ＬＥＤ室４５内には、発光手段（照明器）としてのＬＥＤ４６が槽内突出部４の外周縁部に沿って複数並べて取り付けられている。
【００９７】
図１１〜１５に示すように、槽内突出部４の前面側開口には、その開口全域を閉塞する態様に、前部閉塞板５の外周壁４２に対し着脱自在に取り付けられている。
【００９８】
前部閉塞板５のＬＥＤ室４５に対応する部分は、透明な合成樹脂製の透明窓５１によって構成されている。そしてＬＥＤ４６が点灯すると、その照明光が透孔窓５１を通って槽内突出部４の前方に照射されるようになっている。
【００９９】
以上の構成の流路仕切部材３は、図９に示すように、その槽内突出部４の後壁４１における外周縁部の後面側が、上記雄ねじ部材２のフランジ部２５における前面側に、周知の取付手段によって、着脱自在に取り付けられるようになっている。
【０１００】
なお、この第２実施形態の給湯口アダプターにおいては、上記第１実施形態の給湯口アダプターとは異なり、槽内突出部４の第１および第２流路４３ａ，４３ｂには、発電室７ａ，７ｂが設けられておらず、発電室７ａ，７ｂは、以下に説明する発電ユニット６ａ，６ｂ内に設けられている。従って、この第２実施形態においては、槽内突出部４の第１および第２流路４３ａ，４３ｂには、電力を生じさせるための部材、例えば揺動板７２、水流制御板７３，７４、水車７５等が設けられていない。
【０１０１】
槽内突出部４の外周側面における第１および第２開口４２ａ，４２ｂに対応する位置には、第１および第２発電ユニット６ａ，６ｂが設けられている。
【０１０２】
図１３〜１７に示すように 第１および第２発電ユニット６ａ，６ｂは、左右対称形状で、実質的に同じ構成を有している。すなわち各発電ユニット６ａ，６ｂは、両端が開放された角筒状のケーシング６０を備えている。このケーシング６０は、前壁６１が着脱可能に構成されている。さらにケーシング６０の両端開口６３，６４には、メッシュシート６５，６５が取り付けられている。このメッシュシート６５，６５は、後述するボール６９の通過を阻止しつつ、お湯の通過を許容できるようになっている。
【０１０３】
本実施形態において、各発電ユニット６ａ，６ｂにおける各ケーシング６０，６０の内部が発電室７ａ，７ｂとしてそれぞれ構成されている。
【０１０４】
各発電室７ａ，７ｂ内には、可動体としての複数のボール（流動粒子）６９が収容されている。ボール６９としては、ゴム製のもの等を好適に用いることができるが、その素材は特に限定されるものではない。
【０１０５】
本第２実施形態において、ケーシング６０の前壁６１および後壁６２は、圧電素子壁を構成している。すなわち前壁６１および後壁６２は、その内面の少なくとも一部に、圧電素子を含む圧電素子板が設けられて、圧電素子壁として構成されている。従って、ケーシング６０内のボール６９が前後壁（圧電素子壁）６１，６２に衝突することによって、電力が発生するようになっている。
【０１０６】
またケーシング６０の側壁内面における内側開口６３および外側開口６４の近傍には、内側に突出する態様に水流撹乱片６６が形成されている。そして、内側開口６３または外側開口６４からケーシング６０（発電室７ａ，７ｂ）に流入して、外側開口６４または内側開口６３から流出するお湯は、発電室７ａ，７ｂで水流撹乱片６６によって十分にかき乱されて、流れの状態が乱流となるようになっている。従って、この乱流状態のお湯の流れによって、発電室７ａ，７ｂのボール６９が勢い良く不規則に流動し、既述したように圧電素子としての前壁６１および後壁６２に強く衝突して、所定の電力を発生できるようになっている。
【０１０７】
第１および第２発電ユニット６ａ，６ｂは、その内側開口６３，６３の周縁部が槽内突出部４の第１および第２開口４２ａ，４２ｂの周縁部に着脱自在に取り付けられている。
【０１０８】
なお図示は省略するが、本第２実施形態においても、上記第１実施形態と同様、流路仕切部材３には、ＬＥＤ４６の点灯（発光）を制御する制御回路が設けられている。そして、発電ユニット６ａ，６ｂが槽内突出部４に取り付けられた状態では、発電ユニット６ａ，６ｂの前後壁６１，６２の各圧電素子と槽内突出部４の制御回路とが電気的に接続されるようになっている。従って、各発電室７ａ，７ｂで発生した電力によって、ＬＥＤ４６が点灯するようになっている。
【０１０９】
この発電ユニット６ａ，６ｂが取り付けられた流路仕切部材３は、上記第１実施形態と同様に、浴槽側壁Ｗに組み付けられた雄ねじ部材２に組み付けられる。
【０１１０】
なおこの第２実施形態においては、上記第１実施形態のように流路仕切部材３の槽内突出部４をカバーするためのカバー部材９は設けられていない。
【０１１１】
この第２実施形態において、他の構成は、上記第１実施形態と実質的に同様であるため、同一または相当部分に同一符号を付して重複説明は省略する。
【０１１２】
本第２実施形態においては、内側流路Ａ、第１流路４３ａおよび第１発電ユニット６ａの内部流路（第１発電室７ａ）によって、往き流路および戻り流路のうち、いずれか一方の流路が構成されるとともに、外側流路Ｂ、第２流路４３ｂおよび第２発電ユニット６ｂの内部流路（第２発電室７ｂ）によって、残り一方の流路が構成される。
【０１１３】
以上のように構成された本実施形態の給湯口アダプターにおいて、例えば第１外管接続部１ａに往き管、第２外管接続部１ｂに戻り管を接続した状態において、追い焚き処理を行う場合には、内側流路Ａ、第１流路４３ａおよび第１発電室７ａによって構成される連設流路が、往き流路となり、外側流路Ｂ、第２流路４３ｂおよび第２発電室７ｂによって構成される連設流路が、戻り流路となる。
【０１１４】
そして追い焚き時においては、第１および第２発電ユニット６ａ，６ｂ内の各発電室７ａ，７ｂを流通するお湯は、既述したように水流撹乱片６６によってかき乱されて乱流となり、発電室７ａ，７ｂ内のボール６９が勢い良く不規則に流動し、そのボール６９が、圧電素子壁としての前後壁６１，６２に繰り返し強く衝突することにって圧電素子が作動して、電力が発生する。さらにその電力によって、ＬＥＤ４６が点灯され、その照明光が給湯口アダプターの前方に照射される。
【０１１５】
一方、第２外管接続部１ｂに往き管、第１外管接続部１ａに戻り管を接続した場合には、第１流路４３ａおよび第１発電室７ａによって戻り流路が構成され、外側流路Ｂ、第２流路４３ｂおよび発電室７ｂによって連設流路が構成される。
【０１１６】
さらにこのように配管接続された場合であっても、上記と同様に、発電ユニット６ａ，６ｂの各発電室７ａ，７ｂで発電してＬＥＤ４６が点灯する。
【０１１７】
なお本第２実施形態の給湯口アダプターは、上記第１実施形態と同様、ダブル搬送方式によって湯はりを行うものである。すなわち湯はり時には、給湯機から往き管および戻り管の双方にお湯が供給され、そのお湯が、アダプター本体の内側および外側流路Ａ，Ｂ、第１および第２流路４３ａ，４３ｂ、第１および第２発電室７ａ，７ｂを通って、第１および第２発電ユニット６ａ，６ｂの外側開口６４，６４から浴槽内に供給される。
【０１１８】
この湯はり時においても、上記と同様に、各発電室７ａ，７ｂで発電して、ＬＥＤ４６が点灯する。
【０１１９】
以上のように、本実施形態の給湯口アダプターによれば、追い焚き時等に自己発電によりＬＥＤ４６を点灯させて、浴槽内に光による所定の演出効果を与えることができる。
【０１２０】
さらに本実施形態の給湯口アダプターは、圧電素子を用いて発電するようにしているため、つまり、内壁の一部を圧電素子によって構成したケーシング６０と、その内部で流動するボール６９とを有する発電ユニット６ａ，６ｂによって発電するようにしているため、発電部の構造を簡素に仕上げることができ、小型化を図ることができる。特に、本実施形態の給湯口アダプターは、構造が複雑でサイズが大きい発電機等を用いる場合と比較して、構造の簡素化および小型化をより確実に図ることができる。
【０１２１】
また本実施形態においては、発電ユニット６ａ，６ｂ内に水流撹乱片６６を設けて、ユニット６ａ，６ｂ内の水流を乱流状態とし、その乱流状態の水流によって、ボール６９を不規則に流動させて圧電素子壁（前後壁６１，６２）に、より一層勢い良く衝突させるようにしている。このため、圧電素子をより効率良く作動させることができ、十分な発電量をより確実に確保でき、ＬＥＤ４６をより確実に点灯させることができる。
【０１２２】
さらに本実施形態においては、往き流路および戻り流路の双方に発電ユニット６ａ，６ｂをそれぞれ設けるため、より多くの発電量を確保でき、より一層確実にＬＥＤ５６を発光させることができる。
【０１２３】
また本実施形態においては、発電ユニット６ａ，６ｂの両端開口６３，６４にメッシュシート６５を配置しているため、そのメッシュシート６９によって発電ユニット６ａ，６ｂ内のボール６９が流出するのを防止しつつ、発電ユニット６ａ，６ｂに対するお湯の流出入を支障なくスムーズに行うことができる。
【０１２４】
また本実施形態においては、発電ユニット６ａ，６ｂを流路仕切部材３に着脱自在に取り付けるとともに、発電ユニット６ａ，６ｂの前壁（カバー）６１を取り外し可能に構成しているため、発電ユニット６ａ，６ｂの内部の補修が必要な場合、発電ユニット６ａ，６ｂを流路仕切部材３から取り外して、カバー（前壁６１）を取り外せば、発電室７ａ，７ｂ内を開放でき、その内部の補修を確実に行うことができる。例えばメッシュシート６５に目詰まりが発生した場合には、発電ユニット６ａ，６ｂの前壁６１を取り外せば、メッシュシート６５を簡単に取り出して確実に清掃することができる。このように発電ユニット６ａ，６ｂの前壁６１を取り外すだけで簡単に、発電室７ａ，７ｂ内の保守点検を行うことができる。
【０１２５】
さらに本実施形態においては、流路仕切部材３に外付けで発電ユニット６ａ，６ｂを取り付けるようにしているため、流路仕切部材３として従来より既存のものを用いることができる。つまり、既存の給湯口アダプター（既存の流路仕切部材）に発電ユニット６ａ，６ｂを取り付けるだけで簡単に、本発明の構成を実現することができる。
【０１２６】
＜変形例＞
上記第１実施形態においては、発電室７ａ，７ｂを、流路仕切部材３の流路４３ａ，４３ｂ内に組み込むようにしているが、それだけに限られず、第１実施形態の発電室７ａ，７ｂを、第２実施形態と同様にユニット化して、そのユニットを、槽内突出部５の外周側面に外付けで着脱自在に取り付けるようにしたり、槽内突出部５の内部に着脱自在に取り付けるようにしても良い。
【０１２７】
逆に、上記第２実施形態においては、発電ユニット６ａ，６ｂを流路仕切部材３に外付け方式で取り付けるようにしているが、それだけに限られず、本発明においては、第２実施形態の発電室７ａ，７ｂを流路仕切部材３の内部に設けるようにしても良い。
【０１２８】
要は、給湯機からのお湯を流通させて浴槽に吐出する往き流路と、浴槽内からのお湯を流通させて給湯機側に送出する戻り流路との２つ流路のうち、少なくともいちずれか一方の流路上に、発電ユニット等の発電室を設けるようにすれば良い。例えば、発電室を内側流路Ａおよび外側流路Ｂ上に設けるようにしても良い。
【０１２９】
また上記実施形態においては、発電室で発生した電力によって、ＬＥＤを発光させるようにしているが、本発明において、発生した電力の使用用途は限定されるものではない。例えば発生した電力によって、銅イオンを発生させて殺菌作用を果たす銅イオン発生装置を駆動させたり、ＵＶランプを点灯させて殺菌作用を果たす紫外線照射装置等を駆動させるようにしても良い。
【０１３０】
また上記実施形態においては、発光手段としてＬＥＤを用いるようにしているが、それだけに限られず、本発明においては、豆電球等の白熱電球、蛍光灯等の発光手段を用いるようにしても良い。
【０１３１】
さらに上記実施形態においては、発光手段を連続して点灯させるようにしているが、それだけに限られず、本発明においては、発光手段を点滅させたり、適当なタイミングで点灯と点滅とを交互に行うようにしても良いし、複数の発光手段をそれぞれ個別のタイミングで点灯させたり消灯させたりするようにしても良い。
【０１３２】
また上記第２実施形態においては、発電ユニット６ａ，６ｂの開口６３，６４に、フィルター部材としてメッシュシート６５を配置するようにしているが、それだけに限られず、本発明においては、メッシュシート以外のフィルター部材を配置するようにしても良い。例えばボール（流動粒子）よりもサイズが小さい多数の小孔が形成された板や、ボールの径サイズよりも幅の狭い多数のスリットが形成された板等をフィルター部材として用いるようにしても良い。
【０１３３】
また上記実施形態においては、外管接続部１ａ，１ｂに、外部の往き管および戻り管のどちらを接続しても使用可能な無極性タイプの給湯口アダプターに、本発明を適用する場合を例に挙げて説明したが、それだけに限られず、本発明は、外部の往き管および戻り管の接続位置が特定されている有極性タイプの給湯口アダプターにも適用することができる。
【０１３４】
また上記実施形態においては、内部に、流動制御弁が設けられない弁無しタイプの給湯口アダプターに、本発明を適用した場合を例に挙げて説明したが、それだけに限られず、本発明は、内部に流動制御弁が設けられる弁付きタイプの給湯口アダプターにも適用することができる。
【産業上の利用可能性】
【０１３５】
この発明の浴槽用給湯口アダプターは、例えば一般家庭の浴槽に給湯用金具として利用することができる。
【符号の説明】
【０１３６】
４：槽内突出部
４２：外周壁（外周側面、外面）
４６：ＬＥＤ（発光手段）
６ａ，６ｂ：発電ユニット
６１：前壁（圧電素子壁、圧電素子板）
６２：後壁（圧電素子壁、圧電素子板）
６３：内側開口
６４：外側開口
６５：メッシュシート（フィルター部材）
６６：水流撹乱片
６９：ボール（流動粒子、可動体）
７ａ，７ｂ：発電室
７２：揺動板（圧電素子板）
７３，７４：水流制御板
７５：水車（可動体）
【図１】
0005801628.tif 000002
【図２】
0005801628.tif 000003
【図３】
0005801628.tif 000004
【図４】
0005801628.tif 000005
【図５】
0005801628.tif 000006
【図６】
0005801628.tif 000007
【図７Ａ】
0005801628.tif 000008
【図７Ｂ】
0005801628.tif 000009
【図８】
0005801628.tif 000010
【図９】
0005801628.tif 000011
【図１０】
0005801628.tif 000012
【図１１】
0005801628.tif 000013
【図１２】
0005801628.tif 000014
【図１３】
0005801628.tif 000015
【図１４】
0005801628.tif 000016
【図１５】
0005801628.tif 000017
【図１６】
0005801628.tif 000018
【図１７】
0005801628.tif 000019